(57)【特許請求の範囲】
【請求項１】
竿元側竿体に糸導入孔を有するとともに穂先竿先端部に糸導出口を有する複数の竿体からなる中通し竿であり、各竿体を竿元側の竿体に順次収納した状態において穂先竿の穂先側端部が竿元側の竿体内に収納される中通し竿内部の糸挿通路に釣糸を通すために用いられる糸通し具であって、
屈曲自在な線状の本体部と、
前記本体部の後端に設けられた釣糸係止部と、
前記本体部の先端に設けられたキャップ部と、
前記本体部の前記キャップ部から所定量の後方の位置に設けられ、前記キャップ部が前記穂先竿先端部の糸導出口から突出した状態で前記穂先竿内部の釣糸通路内周面に係止して、前記穂先竿を前記竿体の元上竿から引き出すことが可能であり、かつ前記糸導出口から引出可能な係止部材とを備え、
前記穂先竿が前記竿元側の竿体に収納されている状態であっても釣糸挿通操作ができるようにした
ことを特徴とする糸通し具。
【請求項２】
前記係止部材は前記穂先竿内径にほぼ合致する外径を有する弾性部材である、請求項１に記載の糸通し具。
【請求項３】
前記弾性部材は球状である、請求項２に記載の糸通し具。
【請求項４】
前記係止部材は、前記本体部の径方向外方にかつ前記キャップ部方向に先端部が傾いて設けられた屈曲自在なフック状部材である、請求項１に記載の糸通し具。
【請求項５】
前記係止部材は前記穂先竿の内径にほぼ等しい径を有するコイル部材である、請求項１に記載の糸通し具。
【発明の詳細な説明】
【０００１】
【発明の属する技術分野】
本発明は、中通し竿の内部に釣糸を通すために用いられる中通し竿の糸通し具に関する。
【０００２】
【従来の技術】
従来の振出形式の中通し竿は、竿体内部に釣糸通路を有する元竿と、元竿の穂先側に連結され竿体内部に竿体通路を有する元上竿と、元上竿の穂先側に連結される複数の中竿及び穂先竿とを有している。この元竿は、竿体外周面に固定されたリールと、リールの穂先側に設けられ糸挿通路内に釣糸を導入するための糸導入孔を有している。また、穂先竿の穂先側先端には釣糸を外部に導き出す糸導出口が設けられている。このような中通し竿では、リールからの釣糸は糸導入孔を通して竿体内部の釣糸通路に導入され、穂先竿の穂先の糸導出口から外部に導出される。
【０００３】
この種の中通し竿において、糸導入孔を通して釣糸通路に釣糸を導入し、さらに糸導出口から取り出すために糸通し具が用いられる。従来の糸通し具は、複数の素線をよって形成されたワイヤで形成されている。ワイヤの長さは、収納時の糸導入孔から糸導出口までの長さより長くなっている。このワイヤの後端には釣糸を係止可能な糸係止部が設けられている。また、ワイヤの先端にはワイヤの素線が広がるのを防止するキャップが固定されている。
【０００４】
このような糸通し具を用いて釣糸を中通し竿に通す場合（以下「釣糸挿通操作」という）には、穂先竿及び中竿を順次竿元側の竿体に収納して、元竿の穂先側に元上竿のみが突出した状態にする。一方で、糸通し具の糸係止部に釣糸を係止する。次に、糸通し具の先端を元竿の糸導入孔から内部の糸挿通路に挿入する。そして、糸通し具を穂先竿の釣糸通路に挿入しながら穂先側に送ってゆき、糸通し具の先端を糸導出口から外部に導出する。その後、糸通し具の先端を外部から引っ張って、釣糸係止部に係止されている釣糸を糸導出口から導出する。
【０００５】
【発明が解決しようとする課題】
釣糸挿通操作時に竿元側の他の竿体に収納される穂先竿は、その穂先側先端が他の竿体内部に収納されず、穂先側先端が飛び出した状態で収納されるように配置されている。これは、穂先竿の穂先側先端が突出していなければ釣糸挿通操作終了後に穂先竿を再度引き出すのが困難だからである。
【０００６】
しかし、穂先竿の穂先側端部が他の竿体内に収納されないと、各竿体を順次収納した運搬時等において、突出した穂先竿の穂先側端部を他のものにぶつけて破損してしまう恐れがある。
【０００７】
本発明の課題は、中通し竿の穂先側端部を痛めることなく、釣糸挿通操作を容易に行うことができる糸通し具を提供することにある。
【０００８】
【課題を解決するための手段】
発明１にかかる糸通し具は、竿元側竿体に糸導入孔を有するとともに穂先竿先端部に糸導出口を有する複数の竿体からなる中通し竿であり、各竿体を竿元側の竿体に順次収納した状態において穂先竿の穂先側端部が竿元側の竿体内に収納される中通し竿内部の糸挿通路に釣糸を通すために用いられる糸通し具である。そして、屈曲自在な線状の本体部と、本体部の後端に設けられた釣糸係止部と、本体部の先端に設けられたキャップ部と、本体部の前記キャップ部から所定量の後方の位置に設けられキャップ部が穂先竿先端部の糸導出口から突出した状態で穂先竿内部の釣糸通路内周面に係止して、前記穂先竿を前記竿体の元上竿から引き出すことが可能であり、かつ糸導出口から引出可能な係止部材とを備え、前記穂先竿が前記竿元側の竿体に収納されている状態であっても釣糸挿通操作ができるようにしたことを特徴とする。
【０００９】
この糸通し具を用いて以下のように釣糸挿通操作を行う。
【００１０】
例えば、穂先竿及び中竿を順次竿元側の竿体に収納して、元竿の穂先側に元上竿のみが突出した状態にする。この状態で穂先竿は元上竿内に収納されており、穂先竿の穂先側端部も突出せず元上竿内に収納されている。
【００１１】
一方で、糸通し具の糸係止部に釣糸を係止し、糸通し具のキャップ部を元竿の糸導入孔から内部の糸挿通路に挿入する。そして、糸通し具を穂先竿の釣糸通路に挿入しながら穂先側に送ってゆき、糸通し具の先端を糸導出口から外部に導出する。この状態で、糸通し具の本体部に設けられた係止部材が穂先竿の釣糸通路内周面を係止する。その後、糸通し具のキャップ部を引っ張って穂先竿を元上竿から引き出すと共に、さらに力を込めて穂先竿の糸導出口から糸通し具を引き出し、糸通し具の釣糸係止部に係止されている釣糸を糸導出口から導出する。
【００１２】
このように、釣糸挿通操作時において係止部材が穂先竿を係止しながら穂先側に引き出すので、穂先竿が竿元側の竿体の内部に完全に収納されていても容易に釣糸挿通操作ができる。この結果、中通し竿としては、穂先竿を他の竿体内に完全に収納できるので穂先竿の穂先側端部を痛めることはなく、かつ釣糸挿通操作も容易に行うことができる。
【００１３】
発明２にかかる糸通し具は、発明１の糸通し具であって、係止部材は穂先竿内径にほぼ合致する外径を有する弾性部材である。
【００１４】
この場合には、弾性部材が穂先竿内部の釣糸通路に係止されて穂先竿を元上竿から引き出す。さらに力を込めて穂先竿の糸導出口から糸通し具を引き出すと、弾性部材の弾性によって穂先竿に対する係止が解除され、釣糸係止部に係止されている釣糸を糸導出口から導出可能である。
【００１５】
発明３にかかる糸通し具は、発明２の糸通し具であって、弾性部材は球状である。
【００１６】
この場合には、弾性部材は球状であるので、中通し竿の内周面を損傷することなく釣糸挿通操作を行うことができる。
【００１７】
発明４にかかる糸通し具は、発明１の糸通し具であって、係止部材は、前記本体部の径方向外方にかつ前記キャップ部方向に先端部が傾いて設けられた屈曲自在なフック状部材である。
【００１８】
この場合には、フック状部材が穂先竿内部の釣糸通路に係止されて穂先竿を元上竿から引き出す。さらに力を込めて穂先竿の糸導出口から糸通し具を引き出すと、フック状部材は屈曲して穂先竿に対する係止が解除され、釣糸係止部に係止されている釣糸を糸導出口から導出可能である。
【００１９】
発明５にかかる糸通し具は、発明１の糸通し具であって、係止部材は穂先竿の内径にほぼ等しい径を有するコイル部材である。
【００２０】
この場合には、コイル部材が穂先竿内部の釣糸通路に係止されて穂先竿を元竿から引き出す。さらに力を込めて穂先竿の糸導出口から糸通し具を引き出すと、コイル状部材は変形して穂先竿に対する係止が解除され、釣糸係止部に係止されている釣糸を糸導出口から導出可能である。
【００２１】
【発明の実施の形態】
［第１実施形態］
以下、本発明の第１実施形態について図面を参照しつつ説明する。
【００２２】
（中通し竿の構成）
本発明の第１実施形態を採用した中通し竿は、図１に示すように、元竿１と、元竿１の穂先側に連結された元上竿２と元上竿２の穂先側に連結された第１中竿３，第２中竿４と、第２中竿４の穂先側に連結された穂先竿５とを有している。これら元竿１〜穂先竿５は炭素繊維またはガラス繊維等に合成樹脂を含浸させたプリプレグから形成される先細り筒状部材であって、内部に釣糸通路１００を有する（図２等参照）。そして、元上竿２〜穂先竿５は穂先側から順次竿元側の竿体の内部に挿入され出し入れ自在になっており、いわゆる振出形式で連結されている。
【００２３】
元竿１は、外周面に形成されリール７を脱着自在に装着可能なリールシート６と、穂先側外周面に形成されリール７からの釣糸Ｌを竿体内部に導入する釣糸導入孔８が形成されている。この釣糸導入孔８には釣糸Ｌとの接触から周縁部を保護するための保護リングＰ（図２参照）が周縁部に填め込まれている。また、元竿１には釣糸導入孔８を覆うように配置された釣糸ガイド９が固定されている。さらに、穂先竿５の穂先側端部にはトップガイド１０が取り付けられており、リール７から之釣糸Ｌは釣糸ガイド９及び釣糸導入孔８を通り釣糸通路１００に導かれて、穂先側のトップガイド１０より外部へ導かれる。
【００２４】
図２に示すように、釣糸ガイド９は、金属製のリング状部材であるリング部１１と、リング部１１からその周方向外方に連続して形成されリング部１１を支持するように元竿１の軸方向に伸びて形成された脚部１２と、脚部１２の両先端を元竿１の周面に沿うようにそれぞれ折り曲げて形成された固定部１３とを有している。リング部１１は、例えば、Ｔｉ合金やＴｉ−Ｎｉ合金等の金属からなる部材であって、リング部１１のリング状内周には硬質セラミック製のセラミックリングがはめ込まれて固定されている。また、脚部１２はリング部１１と一体で形成され、釣糸導入孔８を覆うアーチを形成している。この脚部１２の先端部分が竿体１の周面に配置され固定されており、固定部１３となっている。そして、この固定部１３は巻糸（図示せず）及び接着剤等によって元竿１に固定されている。
【００２５】
図２に示すように、元上竿２は内部に釣糸通路１００を有する筒状部材であって、元竿１の穂先側に振出形式で連結されている。そして、元上竿２の竿元側端部には尻栓２０がはめ込まれている。元上竿２は元竿１の穂先側に引き出されて連結された状態において、竿元側端部が元竿１の釣糸導入孔８の穂先側に位置するようになっている。この尻栓２０は、元上竿２の竿元側にはめ込まれ軸方向に貫通した貫通孔２１ａが形成された筒状の本体部２１と、本体部２１の穂先側に貫通孔２１ａに連続して形成され穂先竿５を収納可能な収納部２２を有している。さらに、貫通孔２１ａには硬質のセラミックリングＰがはめ込まれている。
【００２６】
また、穂先竿５はもっとも穂先側に連結される竿体であって、穂先側端部にはトップガイド１０が固定されている。この穂先竿５の穂先側端部は、各竿体を順次竿元側の竿体に収納した場合において、突出することなく元上竿２内部に収納される。具体的には、図２に示すように、穂先竿５の穂先側端部が元上竿２の穂先側端部より竿元側に位置するように収納される。
【００２７】
（糸通し具の構成）
糸通し具３０は、図２に示すように、屈曲自在な線状の本体部３１と、芯材３１の先端に固定されたキャップ部３２と、本体部３１の後端に設けられた釣糸係止部３３とを有している。そして、本体部３１の穂先側にはゴム部材３４が固定されている。
【００２８】
本体部３１は、複数の素線をよって形成されたワイヤで形成されており、表面には所定の樹脂がコートされている。本体部３１の径は０．２〜０．５ｍｍ程度であり、もっとも径の小さい穂先竿５の釣糸通路１００を挿通可能になっている。また、各竿体の釣糸通路１００に沿って自由に屈曲可能になっている。なお、超弾性を有する形状記憶合金を用いて本体部３１を形成してもよい。
【００２９】
キャップ部３２は、スチールまたはこれらの合金若しくは合成樹脂から形成される円筒形の部材である。本体部３１を構成する素線が広がらないように本体部３１の先端部を覆うように配置される。そして、もっとも径の小さい穂先竿５の釣糸通路１００を挿通可能なように外径が設定されている。また、釣糸係止部３３は本体部３１の後端に設けられた屈曲自在なリング状の部材であり、釣糸Ｌを係止可能になっている。
【００３０】
ゴム部材３４は本体部３１が貫通するようにして本体部３１上に固定された球状のゴム製部材である。本体部３１のキャップ部３２のやや後方の位置に固定されている。ゴム部材３４の外径は穂先竿５の内径にほぼ合致している。また、ゴム部材３４はその弾性によって伸縮可能である。
【００３１】
（釣糸挿通操作）
次に、本実施形態にかかる糸通しを用いて行う釣糸挿通操作について説明する。
【００３２】
まず、図２に示すように、穂先竿５及び第２中竿４，第１中竿３を順次竿元側の竿体に収納して、元竿１の穂先側に元上竿２のみが突出した状態にする。この状態で穂先竿５は元上竿２内に収納されており、穂先竿５の穂先側端部も突出せず元上竿２内に収納されている。
【００３３】
一方で、糸通し具３０の糸係止部３３に釣糸Ｌを係止し、糸通し具３０のキャップ部３２を元竿１の糸導入孔８から内部の糸挿通路１００に挿入する。そして、図３（ａ）に示すように、糸通し具３０を穂先竿５の釣糸通路１００に挿入しながら穂先側に送ってゆき、糸通し具３０の先端をトップガイド１０から外部に導出する。この状態で、糸通し具３０の本体部３１に設けられたゴム部材３４が穂先竿５の釣糸通路内周面に係止される。その後、図３（ｂ）に示すように、糸通し具３０のキャップ部３２を引っ張って穂先竿５を元上竿２から引き出すと共に、図３（ｃ）に示すように、さらに力を込めて穂先竿５のトップガイド１０から糸通し具３０を引き出す。ここで、ゴム部材３４の弾性を利用してゴム部材３４の穂先竿５に対する係止を解除し、釣糸係止部３３に係止されている釣糸Ｌをトップガイド１０から導出する。
【００３４】
以上のように、本実施形態に係る糸通し具３０では、釣糸挿通操作時においてゴム部材３４が穂先竿５を係止しながら穂先側に引き出すので、穂先竿５が元上竿２の内部に完全に収納されていても容易に釣糸挿通操作ができる。この結果、中通し竿としては、穂先竿５を他の竿体内に完全に収納できるので穂先竿５の穂先側端部を痛めることはなく、かつ釣糸挿通操作も容易に行うことができる。
【００３５】
［第２実施形態］
以下、本発明の第２実施形態について図面を参照しつつ説明する。
【００３６】
本発明の第２実施形態を採用した糸通し具４０は、図４（ａ）に示すように、屈曲自在な線状の本体部４１と、芯材４１の先端に固定されたキャップ部４２と、本体部４１の後端に設けられた釣糸係止部（図示せず）とを有している。そして、本体部４１の穂先側には屈曲自在でありかつ先端がフックに形成されたフック状部材４４とを有している。
【００３７】
本体部４１は、複数の素線をよって形成されたワイヤで形成されており、表面には所定の樹脂がコートされている。キャップ部４２は、スチールまたはこれらの合金若しくは合成樹脂から形成される円筒形の部材である。本体部４１を構成する素線が広がらないように本体部４１の先端部を覆うように配置される。また、釣糸係止部（図示せず）は、第１実施形態と同様に、本体部４１の後端に設けられた屈曲自在なリング状の部材であり、釣糸Ｌを係止可能になっている。
【００３８】
フック状部材４４は、本体部４１の穂先側に本体部４１の径方向外方かつキャップ部４２方向に先端側が傾いて設けられている。例えば、細かい金属線を寄り合わせたものや、弾性を有する合成樹脂等から形成され、大きな力が加えられると屈曲可能になっている。高さはほぼ穂先竿５の内径程度であり、先端はフック状に形成されている。
【００３９】
（釣糸挿通操作）
次に、本実施形態にかかる糸通しを用いて行う釣糸挿通操作について説明する。
【００４０】
まず、第１実施形態と同様に、穂先竿５及び第２中竿４，第１中竿３を順次竿元側の竿体に収納して、元竿１の穂先側に元上竿２のみが突出した状態にする。この状態で穂先竿５は元上竿２内に収納されており、穂先竿５の穂先側端部も突出せず元上竿２内に収納されている。
【００４１】
一方で、糸通し具４０の釣糸係止部に釣糸Ｌを係止し、糸通し具４０のキャップ部４１を元竿１の糸導入孔８から内部の糸挿通路１００に挿入する。そして、図４（ａ）に示すように、糸通し具４０を穂先竿５の釣糸通路１００に挿入しながら穂先側に送ってゆき、糸通し具４０の先端をトップガイド１０から外部に導出する。この状態で、糸通し具４０の本体部４１に設けられたフック状部材４４が穂先竿５の釣糸通路内周面に係止される。その後、図４（ｂ）に示すように、糸通し具４０のキャップ部４２を引っ張って穂先竿５を元上竿２から引き出すと共に、図４（ｃ）に示すように、さらに力を込めて穂先竿５のトップガイド１０から糸通し具４０を引き出す。ここで、フック状部材４４を屈曲させて穂先竿５に対する係止を解除し、釣糸係止部に係止されている釣糸Ｌをトップガイド１０から導出する。
【００４２】
［他の実施形態］
（ａ）図５に示すように、糸通し具５０の本体部５１の穂先側付近にコイル状部材５４を設けてもよい。このコイル状部材５４の径は、穂先竿５の内径とほぼ一致しており、コイル部材５４は穂先竿５に係止可能である。また、本体部５１を強く引くとコイル部材５４は屈曲変形されて、穂先竿５への係止が解除される。（ｂ）弾性部材の形状は球状に限定されるものではなく、例えば、円柱状，立方体，直方体等の様々な形状とすることができる。
（ｃ）本体部上において弾性部材を任意の位置に移動可能にしてもよい。
【００４３】
例えば、ゴム部材に本体部よりやや小径の貫通孔を設けて、強くゴム部材を押すことによって任意の箇所にゴム部材を移動可能としてもよい。この場合には、釣人の任意の箇所において糸通し具が穂先竿を係止することができ、操作性がさらに向上する。
【００４４】
【発明の効果】
本発明にかかる糸通し具によれば、穂先竿が竿元側の竿体内に完全に収納される中通し竿にあっても、容易に釣糸を糸挿通路内に導入できる。
【図面の簡単な説明】
【図１】中通し竿の全体図。
【図２】本発明の第１実施形態を採用した糸通し具の作業を説明するための中通し竿の正面断面部分図。
【図３】本発明の第１実施形態を採用した糸通し具を用いて釣糸挿通操作を行う状態を示した図。
【図４】本発明の第２実施形態を採用した糸通し具を用いて釣糸挿通操作を行う状態を示した図。
【図５】本発明の他の実施形態を採用した糸通し具を用いて釣糸挿通操作を行う状態を示した図。
【符号の説明】
１  元竿
２  元上竿
３  第１中竿
４  第２中竿
５  穂先竿
３０，４０，５０  糸通し具
３１，４１，５１  本体部
３２，４２  キャップ部
３３  釣糸係止部
３４  ゴム部材
４４  フック状部材
５４  コイル部材
【図１】
0004108209.tif 000002
【図２】
0004108209.tif 000003
【図３】
0004108209.tif 000004
【図４】
0004108209.tif 000005
【図５】
0004108209.tif 000006